(57)【要約】【課題】    利用者が氏名のわかる相手のメールアドレスを知り、また教えたいときに相手がそれを許している場合メールアドレスを知ることのできるシステム。【解決手段】  利用者が自己の氏名、メールアドレス、連絡希望相手氏名をＷＥＢサーバ上のデータベースに登録し、検索をして連絡希望相手氏名と氏名が一致する登録者が存在して、且つその登録者の連絡希望相手氏名と利用者の氏名が一致する場合ＷＥＢサーバから両者に互いのメールアドレスを知らせるメールを送信する。【選択図】  図１
2006238396.tif 000002
【特許請求の範囲】
【請求項１】
インターネットに接続され、登録者の氏名、メールアドレス、連絡希望相手氏名が登録され、ある２名の登録者が互いに相手の氏名を連絡希望相手氏名に登録していたとき、両者に相手のメールアドレスを知らせるメールを送信するサーバを備えたメールアドレス交換仲介システムであって、登録者の氏名、メールアドレス、連絡希望相手氏名が入力手段しよってサーバに入力される登録ステップと、サーバが、入力された登録者の氏名、メールアドレス、連絡希望相手氏名をデータベースに記録する記録ステップと、データベースに登録済みの登録者が検索者となって、入力手段によって検索開始指示がサーバに入力され、サーバがデータベースを参照し、検索者の連絡希望相手氏名がデータベース上に登録者の氏名として登録されており、且つこの登録者の連絡希望相手氏名が検索者の氏名と一致するときサーバから両者に互いのメールアドレスを知らせるメールを送信するステップと、を備えることを特徴とするメールアドレス交換仲介システム。
【発明の詳細な説明】
【技術分野】
【０００１】  本発明はある２名の利用者が互いに相手の氏名を連絡を希望する相手の氏名として閲覧可能なサーバに登録していた時、インターネットを介して互いのメールアドレスを知らせ合うことのできるメールアドレス交換仲介システムに関するものである。
【背景技術】
【０００２】    インターネットを利用した個人の仲介を運営するＷＥＢサイトは多く存在する。例えば、登録者の人物画像とメールアドレスおよび自己ＰＲとを同時に表示するＷＥＢサイトがあり、検索者は人物画像や自己ＰＲを見て、メールアドレスに直接メッセージを送ることができる。【０００３】    あるいは登録者の自己ＰＲと年齢、職業などの個人情報及びＷＥＢサイトでの登録番号とを同時に表示した人物画像のないＷＥＢサイトがあり、検索者は自己ＰＲを見て、登録番号をパラメータとして相手にメッセージを送ることができる。
【発明の開示】
【発明が解決しようとする課題】
【０００４】    従来のインターネットを利用した個人間の仲介において仲介されるもの同士は概知でなく、利用者が概知の個人との間で１対１の仲介を受けることは難しかった。【０００５】  また、インターネットを介した個人の仲介では個人の情報が不特定多数の人間に知られるということによる警戒感があった。【０００６】    互いに概知の２名が互いに氏名を特定することで１対１でメールアドレスを知らせ合うことのできるＷＥＢサイトシステムの構築を課題とするものである。
【課題を解決するための手段】
【０００７】  上記課題を解決するため、インターネットに接続され、登録者情報とその登録者の連絡希望相手氏名が登録され、ある２名の登録者が互いに相手の氏名を連絡希望相手氏名に登録していたとき、両者に相手のメールアドレスを知らせるメールを自動的に発信するサーバを備えたメールアドレス交換仲介システムであって、登録者の氏名、メールアドレス、連絡希望相手氏名が入力手段しよってサーバに入力される登録ステップと、サーバが、入力された登録者の氏名、メールアドレス、連絡希望相手氏名をデータベースに記録する記録ステップと、データベースに登録済みの登録者が検索者となって、入力手段によって検索開始指示がサーバに入力され、サーバがデータベースを参照し、検索者の連絡希望相手氏名がデータベース上に登録者の氏名として登録されており、且つこの登録者の連絡希望相手氏名が検索者の氏名と一致するとき自動的にサーバから両者に互いのメールアドレスを知らせるメールを発信するステップと、を備えることを特徴とするメールアドレス交換仲介システムとした。
【発明の効果】
【０００８】  本発明によって、利用者は相手の氏名さえ知っていて、相手が許可してさえいればメールアドレスを知り、連絡が取れるようになる。相互の許可があって初めてメールアドレスを教え合い、且つ相手の氏名をあらかじめ知っていることから両者は相手の素性を知っていると思われるので、利用者は安心してこれを利用できる。
【発明を実施するための最良の形態】
【０００９】  本発明を実現するためのＷＥＢサーバの構成について図１により説明する。符号１で示すＷＥＢサーバは中央演算処理装置２と、中央演算処理装置２に接続した入出力部３と、中央演算処理装置２に接続したデータベース４とプログラム記憶部ディスク５と、中央演算処理装置２に備える読み出し専用メモリ６と書き込み読み出しメモリ７等を備えている。ＷＥＢサーバ１はネットワーク通信部８によってインターネットに接続される。【００１０】  データベースは図２に示すように各登録者のＩＤ、パスワード、氏名、メールアドレス、連絡希望相手氏名を記録する。【００１１】  プログラム記憶部ディスク５や読み出し専用メモリ６には、ＷＥＢサーバを運用するためのオペレーティングシステムプログラムの他、データベースプログラムやメールサーバプログラム等が記憶されている。なお、ＷＥＢサーバ１の構成はこれに限定されるものではなく、インターネットを介してコンテンツを配信し、利用者が入力したデータを受信するサーバ機能、データを記憶、照会、集計管理するデータベース機能、メール送信機能等を備えるものであれば良い。【００１２】  インターネット上には前記ＷＥＢサーバ１のほかに、このＷＥＢサーバ１にログイン可能で個々に独立して機能する複数のパーソナルコンピュータ（以下「ＰＣ」という）９、１０等が接続してあり、例えばＰＣ９は、ＷＥＢサーバ１にログインしてＷＥＢサーバ１から送出されるコンテンツを利用者が閲覧できるよう表示する表示手段としてモニター９ａ、ＷＥＢサーバ１によりモニター９ａに表示される内容に対して登録者情報等を入力する入力手段としてキーボード９ｂや同じく入力手段として画面に表示される選択ボタンをクリックするマウス９ｃを備えている。他のＰＣ１０等も同様に備えている。【００１３】  上記構成において登録手段を図３によって説明する。ＷＥＢサーバ１に登録を希望する利用者は、所有するＰＣ９をインターネットに接続し所定のインターネットＵＲＬによってＷＥＢサーバ１にログインする。ＷＥＢサーバ１はモニター９ａに「登録」、「検索」、「データメンテナンス」といった選択ボタンを表示する。ここで利用者はマウス９ｃ等により「登録」ボタンをクリックする。次にＷＥＢサーバは利用者の氏名、メールアドレス、連絡希望相手氏名の入力画面をモニター９ａに表示する。利用者はキーボードによって氏名、メールアドレス、連絡希望相手氏名を入力しモニターに表示された登録ボタンをクリックする等して入力完了したことをＷＥＢサーバ１に送出する。ＷＥＢサーバ１は入力された登録内容を受付け、確認のため登録内容と「確認」ボタンをモニター９ａに表示する。利用者は内容を確認して間違いがなければ、モニター９ａに表示された「確認」ボタンをクリックする等して確認したことをＷＥＢサーバ１に送出する。ＷＥＢサーバ１は、利用者にＩＤとパスワードを割当て、データベースに利用者のＩＤ、パスワード、氏名、メールアドレス、連絡希望相手氏名を記録する。これで利用者の登録が完了し、ＷＥＢサーバ１はデータベースを参照して登録された利用者のメールアドレスに登録受付完了通知とＩＤとパスワードを送信する。【００１４】  利用者のモニターにも登録受付完了通知とＩＤとパスワードを表示するとともに、別の処理に移るかを選択する「戻る」ボタンを表示し、利用者はマウス９ａによってクリックする。利用者が「戻る」ボタンを選択した場合は、最初の「登録」、「検索」、「データメンテナンス」といった選択ボタンをモニター９ａに表示し、スタートステップに戻る。【００１５】  次に検索処理について図４により説明する。予めＷＥＢサイト１に登録した登録者が検索者となる。検索者は所有のＰＣ９によって所定のインターネットＵＲＬにログインして「検索」ボタンを選択する。ＷＥＢサーバはモニター９ａにＩＤ、パスワード入力画面と「検索開始」ボタンを表示し、検索者は登録の際割り当てられたＩＤとパスワードを入力して「検索開始」ボタンをクリックする。ＷＥＢサーバ１はデータベースを参照して検索者の連絡希望相手氏名が別の登録者として登録されている氏名と一致し、且つこの登録者の連絡希望相手氏名が検索者の氏名と一致するかを判別する。一致した場合はその旨を伝え、「戻る」ボタンを表示する画面をモニター９ａに表示しＷＥＢサーバから両者に互いの連絡希望相手のメールアドレスを通知するメールを発信する。一致しなければその旨を伝え、「戻る」ボタンを表示する画面をモニター９ａに表示する。「戻る」ボタンを選択すると最初の「登録」、「検索」、「データメンテナンス」といった選択ボタンをモニター９ａに表示し、スタートステップに戻る。
【図面の簡単な説明】
【００１６】
【図１】      本発明を実現するためのハード構成を示すブロック図である。
【００１７】
【図２】      データベースの内容を示す図である
【００１８】
【図３】      本発明のシステムにおける登録の流れを示すフローチャートである。
【００１９】
【図４】      本発明のシステムにおける検索の流れを示すフローチャートである。
【符号の説明】
【００２０】  １    ＷＥＢサーバ
２    中央演算処理装置
３    入出力部
４    データベース
５    プログラム記憶部ディスク
６    読み出し専用メモリ
７    書き込み読み出しメモリ
８    ネットワーク通信部
９    パーソナルコンピュータ
９ａ  モニター
９ｂ  キーボード
９ｃ  マウス
１０  パーソナルコンピュータ
【図１】
2006238396.tif 000003
【図２】
2006238396.tif 000004
【図３】
2006238396.tif 000005
【図４】
2006238396.tif 000006